(57)【要約】【課題】錠のキー挿入孔へのキーの挿入を容易とするデスクの錠装置を提供する。【解決手段】引出しを有するデスクにおいて、デスク天板２の下部位置に引出しをロックする錠５のキー挿入部６を設け、このキー挿入部６は、その中央部にキー挿入孔７を有し、このキー挿入孔７の周囲の面が前記キー挿入孔７に向けて下り傾斜するキー誘導面８に形成され、前記キー挿入部６へキー１４の先端を当接して押圧することにより前記キー誘導面８によりキー１４の先端が前記キー挿入孔７へ誘導されて挿入されるようにしたことを特徴とする。【選択図】　図２
2004124457.tif 000002
【特許請求の範囲】
【請求項１】
引出しを有するデスクにおいて、デスク天板の下部位置に引出しをロックする錠のキー挿入部を設け、このキー挿入部は、その中央部にキー挿入孔を有し、このキー挿入孔の周囲の面が前記キー挿入孔に向けて下り傾斜するキー誘導面に形成され、前記キー挿入部へキーの先端を当接して押圧することにより前記キー誘導面によりキーの先端が前記キー挿入孔へ誘導されて挿入されるようにしたことを特徴とするデスクの錠装置。
【請求項２】
前記デスク天板の前端縁と引出しの前面板の上縁との間のデスク前面に横方向に延びる凹陥溝部を形成し、この凹陥溝部内に前記キー挿入部を前方へ向け突出して設け、このキー挿入部の前端がデスク天板の前端縁および引出しの前面板と略同一面におかれるようになされている請求項１記載のデスクの錠装置。
【請求項３】
断面コ字状を有する枠体の垂直面に前記キー挿入部を一体的に突設し、この枠体を、デスクの引出し枠の上端に固定されるデスク天板と引出しの前面板の上縁との間に位置して前記引出し枠に固定し、前記枠体の垂直面が前記凹陥溝部の内底面を構成するようになされている請求項２記載のデスクの錠装置。
【発明の詳細な説明】
【０００１】
【発明の属する技術分野】
本発明は引出し付きのデスクに係り、特に引出しロック用の錠の施・解錠操作を容易とするデスクの錠装置に関する。
【０００２】
【従来の技術】
従来からデスクの引出しは錠によりロックすることができるようになっている。
【０００３】
引出し用の錠は、通常引出しの前面板に設けられており、その錠のキー挿入孔にキーを挿入して回動操作することにより施・解錠を行うようになっている。
【０００４】
【発明が解決しようとする課題】
しかして従来の引出しの錠は、そのキー挿入孔が引出しの前面板と同一面内におかれており、そのためキー挿入孔にキーの先端を的確に挿入することが意外と煩わしく、特に視覚障害者にとっては施・解錠操作に難渋するものであった。
【０００５】
このような点に着目してこれを改善しようとする技術は未だ文献として存在していない。
【０００６】
本発明はこれに鑑み、錠のキー挿入孔へのキーの挿入を容易とするデスクの錠装置を提供することを課題とし、また上記キーの挿入操作の容易性に加え、視覚障害者であっても錠の存在箇所を直ちに掌握することができ、迅速な施・解錠を行えるようにすることを課題としてなされたものである。
【０００７】
【課題を解決するための手段】
上記課題を解決する手段として、請求項１に記載の発明は、引出しを有するデスクにおいて、デスク天板の下部位置に引出しをロックする錠のキー挿入部を設け、このキー挿入部は、その中央部にキー挿入孔を有し、このキー挿入孔の周囲の面が前記キー挿入孔に向けて下り傾斜するキー誘導面に形成され、前記キー挿入部へキーの先端を当接して押圧することにより前記キー誘導面によりキーの先端が前記キー挿入孔へ誘導されて挿入されるようにしたことを特徴とする。
【０００８】
こうしたことにより、引出しの施・解錠時にキーをキー挿入孔へ挿入するとき、キー挿入部の前面にキーの先端を押し当てるようにすれは、キーの先端はキー誘導面により自ずとキー挿入孔へ導かれるので、キー挿入孔へのキーの挿入を容易に行うことができる。
【０００９】
請求項２に記載の発明は、前記デスク天板の前端縁と引出しの前面板の上縁との間のデスク前面に横方向に延びる凹陥溝部を形成し、この凹陥溝部内に前記キー挿入部を前方へ向け突出して設け、このキー挿入部の前端がデスク天板の前端縁および引出しの前面板と略同一面におかれるようにしたことにある。
【００１０】
このようにすれば、視覚障害者であっても凹陥溝部の存在を直ちに把握でき、この凹陥溝部にそって手指を移動させればキー挿入部の存在が認識できるので、前述のキーの挿入操作の容易性と相俟って迅速に施・解錠操作を行うことができる。
【００１１】
請求項３に記載の発明は、最も好ましい形態を特定したもので、断面コ字状を有する枠体の垂直面に前記キー挿入部を一体的に突設し、この枠体を、デスクの引出し枠の上端に固定されるデスク天板と引出しの前面板の上縁との間に位置して前記引出し枠に固定し、前記枠体の垂直面が前記凹陥溝部の内底面を構成するようにしたことにある。
【００１２】
【発明の実施の形態】
以下、本発明を図面に示す実施の形態を参照して説明する。
【００１３】
図１は本発明を片袖のデスク１に適用した場合の一実施形態の正面図を、図２は同要部の拡大斜視図を示している。
【００１４】
デスク１の天板２の前端縁２ａと、最上段の引出し３の前面板３ａの上縁との間に横方向に延びる凹陥溝部４が形成され、この凹陥溝部４の端部寄り（デスク１の端部近く）に引出しロック用の錠５のキー挿入部６が設けられている。
【００１５】
このキー挿入部６は、正面視横長楕円形を有し、前記凹陥溝部４の垂直な内底面４ａから突出して設けられ、その前端は前記天板２の前端縁２ａおよび引出し３の前面板３ａの前面と略同一になるように形成されている。
【００１６】
上記キー挿入部６は、図３（Ａ）に水平断面を、図３（Ｂ）に縦断面を拡大して示すように、正面より見て中央位置に錠５のキー挿入孔７が臨ませてあり、キー挿入孔７の周囲の面は中央のキー挿入孔７へ向けて下り傾斜するキー誘導面８とされている。なおこのキー誘導面８は平坦面で構成してもよいが、同図に示すように凹曲面状に形成することが好ましい。
【００１７】
具体的構造例としては、図４に分解図を示すように、デスク１の引出し枠９の上端に天板２の取付面１０があり、この取付面１０より下位に錠５の取付座１１をビス止めする錠支持部材１２が設けられていて、この錠支持部材１２の下部に引出しが納まるようになっている。
【００１８】
上記錠支持部材１２の前面には、前記キー挿入部６が一体に形成された断面コ字状の樹脂製の枠体１３がその取付座１４によりビス止めされるように構成されている。したがって上記枠体１３の垂直な面１３ａが前記凹陥溝部４の内底面４ａを構成することになる。
【００１９】
錠５自体の構成は従来から一般に用いられているものと同様であり、図５（Ａ），（Ｂ）に示すように、錠５のキー挿入孔７にキー１４を挿入して図５（Ａ）の矢印方向に回動させたとき、その操作によりロッド１５が矢印方向に回転し、そのロッド１５のクランク部１５ａによりロック杆１６が引き上げられてロック杆１６のロック片１７が引出し３の係合部（図示せず）から上方へ外れて引出し３のロックが解かれ、またキー１４を図５（Ｂ）の矢印方向へ回動させれば、ロッド１５が矢印方向に回転してロック杆１６が下降し、そのロック片１７が引出し３の係合部に係合して引出し３がロックされるようになされている。
【００２０】
上記ロック杆１６に、上、中、下の各引出し３，３，３用のロック片１６を設ければ、すべての引出しを一斉に施・解錠させることができる。なお図中１８は引出し用のレールである。
【００２１】
したがって、引出し３を施・解錠させるとき、キー挿入部６の前面にキー１４の先端を当てがって押すことにより、キー１４の先端はキー誘導面８により中央部のキー挿入孔７へ自然に誘導され、キー挿入孔７に到達してキー挿入孔７を探すことなくキー１４を挿入することができる。
【００２２】
こうしてキー１４を解錠方向へ回動させれば引出し３のロックが解かれて引出すことができ、キー１４を施錠方向へ回動させれば引出し３をロックすることができる。
【００２３】
【発明の効果】
以上説明したように本発明によれば、引出し施・解錠用のキー挿入孔にキーを挿入するとき、キー挿入部の前面にキーの先端を押し当てることによりキーの先端が自動的にキー挿入孔へ誘導されるので、手さぐりでもキーをキー挿入孔に迅速に挿入することができ、キーによる施・解錠操作をきわめて容易に行うことができ、特に視覚に障害を持った人であっても手早く確実に施・解錠操作を行うことができる。
【００２４】
また請求項２にように、キー挿入部を天板下部の凹陥溝部の内底面から突出して設けるようにすれば、視覚障害者であっても凹陥溝部を辿って行けばキー挿入部の存在が直ちに分り、キー挿入部の位置を素早く見付けることができ、前述のキーの誘導作用と相俟ってキー操作を容易に行わせることができる。
【００２５】
請求項３によれば、デスクへの凹陥溝部の形成、キー挿入部の形成を容易とし、安価に提供することができる利点がある。
【図面の簡単な説明】
【図１】本発明を適用したデスクの一例を示す正面図。
【図２】図１の要部を拡大して示す斜視図。
【図３】図１、図２におけるキー挿入部を示し、（Ａ）は水平断面図、（Ｂ）は縦断面図。
【図４】同、具体的構成例を示す分解斜視図。
【図５】同、施・解錠機構の一例を示し、（Ａ）は開錠時、（Ｂ）は施錠時の状況を示す斜視図。
【符号の説明】
１　デスク
２　天板
３　引出し
４　凹陥溝部
４ａ　内底面
５　錠
６　キー挿入部
７　キー挿入孔
８　キー誘導面
９　引出し枠
１２　錠支持部材
１３　枠体
１４　キー
１５　ロッド
１６　ロック杆
１７　ロック片
【図１】
2004124457.tif 000003
【図２】
2004124457.tif 000004
【図３】
2004124457.tif 000005
【図４】
2004124457.tif 000006
【図５】
2004124457.tif 000007